(57)【要約】【課題】  撮影の指示を入力しやすくすることができる写真撮影装置を提供する。【解決手段】  写真撮影装置は、撮影筐体１０と編集筐体１１ａ，１１ｂとを備え、フレーム材（構造材）やパネル（壁面）やカーテン１２ａ，１２ｂなどで外部と区分された空間を備える。撮影筐体１０は、撮影空間２内の被写体である装置利用者を撮影するためのカメラ２１と、リモコンや携帯電話などからの撮影指示の信号（赤外光）を受信する赤外線受光部９１とを備える。カーテン１２ａ，１２ｂの少なくとも一部は、リモコンや携帯電話が出力する赤外光を反射させることができる部材で構成される。【選択図】        図１
2007025108.tif 000002
【特許請求の範囲】
【請求項１】
撮影空間と、
前記撮影空間内に設けられ、前記撮影空間内に位置する被写体を撮影する撮影手段と、
前記撮影手段による撮影を開始するための指示を、前記撮影空間に存在するコントローラから無線で受付ける受信部とを備え、
前記撮影空間を囲む素材の少なくとも一部として、前記コントローラが出力する信号を反射させることができる部材を設けることを特徴とした、写真撮影装置。
【請求項２】
前記コントローラが出力する信号を反射させることができる部材は、ターポリンである、請求項１に記載の写真撮影装置。
【請求項３】
前記コントローラは、赤外光を出力し、
前記受信部は、前記コントローラが出力する赤外光を受光し、
前記コントローラが出力する信号を反射させることができる部材は、赤外光を反射させる部材である、請求項１または２に記載の写真撮影装置。
【請求項４】
撮影空間と、
前記撮影空間内に設けられ、前記撮影空間内に位置する被写体を撮影する撮影手段と、
前記撮影手段による撮影を開始するための指示を、前記撮影空間に存在するコントローラから無線で受付ける受信部と、
前記受信部で指示を受付けるタイミングを表示する表示手段とを備えた、写真撮影装置。
【請求項５】
所定のタイミング以外のタイミングにおいては、前記受信部で前記指示を受付けたとしてもその指示に応じない、請求項４に記載の写真撮影装置。
【請求項６】
撮影空間と、
前記撮影空間内に設けられ、前記撮影空間内に位置する被写体を撮影する撮影手段と、
前記撮影手段による撮影を開始するための指示を、前記撮影空間に存在するコントローラから無線で受付ける受信部とを備え、
前記受信部は、複数のコントローラからの指示を受付けることが可能である、写真撮影装置。
【請求項７】
撮影空間と、
前記撮影空間内に設けられ、前記撮影空間内に位置する被写体を撮影する撮影手段と、
前記撮影手段による撮影を開始するための指示を、前記撮影空間に存在するコントローラから無線で受付ける複数の受信部とを備え、
前記複数の受信部は、前記コントローラが複数の方向に向けられて信号を出力することに対応できるように、複数の異なる場所に設けられていることを特徴とした、写真撮影装置。
【請求項８】
前記受信部は、前記撮影手段の近傍に設けられている、請求項１〜７のいずれかに記載の写真撮影装置。
【請求項９】
前記撮影空間内に、前記コントローラとは別に、前記撮影手段による撮影を開始するための指示を出力する操作手段が設けられている、請求項１〜８のいずれかに記載の写真撮影装置。
【請求項１０】
前記撮影空間内に、前記コントローラを収納可能なコントローラ収納部が設けられている、請求項１〜９のいずれかに記載の写真撮影装置。
【請求項１１】
前記コントローラは、リモコンまたは携帯電話である、請求項１〜１０のいずれかに記載の写真撮影装置。
【発明の詳細な説明】
【技術分野】
【０００１】
この発明は写真撮影装置に関し、特に撮影を開始するための指示を、撮影空間に存在するコントローラから無線で受付けることができる写真撮影装置に関する。
【背景技術】
【０００２】
近年、ゲームセンター等の遊戯を提供する店舗において、写真を撮影してシールプリント等にする写真自動販売装置が数多く設置されている。このような写真自動販売装置には、一般に、被写体である利用者を写真自動販売装置に付属のカメラで撮影した画像を、タブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて利用者に提供される。
【０００３】
このような写真撮影を行なう装置の技術に関して、下記特許文献１〜３は、リモコン装置により撮影の指示を行なう装置を開示している。
【０００４】
また特許文献４は、フットスイッチにより撮影を行なう写真自販機を開示しており、特許文献５は、撮影台近傍に配置されたスイッチにより撮影を行なう写真自販機を開示している。
【０００５】
さらに特許文献６は、無線によりシャッターを操作する写真シール自動販売機を開示している。
【特許文献１】特開平１１−２１５４２１号公報
【特許文献２】特開２００１−３３３３１８号公報
【特許文献３】特開２００４−５６５５４号公報
【特許文献４】特開２００１−１００３０２号公報
【特許文献５】実用新案登録第３０８２３２８号公報
【特許文献６】特開２００２−１４０７６４号公報
【発明の開示】
【発明が解決しようとする課題】
【０００６】
この発明は、撮影の指示を入力しやすくすることができる写真撮影装置を提供することを目的としている。
【課題を解決するための手段】
【０００７】
上記目的を達成するためこの発明のある局面に従うと、写真撮影装置は、撮影空間と、撮影空間内に設けられ、撮影空間内に位置する被写体を撮影する撮影手段と、撮影手段による撮影を開始するための指示を、撮影空間に存在するコントローラから無線で受付ける受信部とを備え、撮影空間を囲む素材の少なくとも一部として、コントローラが出力する信号を反射させることができる部材を設けることを特徴とする。
【０００８】
好ましくはコントローラが出力する信号を反射させることができる部材は、ターポリンである。
【０００９】
好ましくはコントローラは、赤外光を出力し、受信部は、コントローラが出力する赤外光を受光し、コントローラが出力する信号を反射させることができる部材は、赤外光を反射させる部材である。
【００１０】
この発明の他の局面に従うと写真撮影装置は、撮影空間と、撮影空間内に設けられ、撮影空間内に位置する被写体を撮影する撮影手段と、撮影手段による撮影を開始するための指示を、撮影空間に存在するコントローラから無線で受付ける受信部と、受信部で指示を受付けるタイミングを表示する表示手段とを備える。
【００１１】
好ましくは写真撮影装置は、所定のタイミング以外のタイミングにおいては、受信部で指示を受付けたとしてもその指示に応じない。
【００１２】
この発明の他の局面に従うと写真撮影装置は、撮影空間と、撮影空間内に設けられ、撮影空間内に位置する被写体を撮影する撮影手段と、撮影手段による撮影を開始するための指示を、撮影空間に存在するコントローラから無線で受付ける受信部とを備え、受信部は、複数のコントローラからの指示を受付けることが可能である。
【００１３】
この発明の他の局面に従うと写真撮影装置は、撮影空間と、撮影空間内に設けられ、撮影空間内に位置する被写体を撮影する撮影手段と、撮影手段による撮影を開始するための指示を、撮影空間に存在するコントローラから無線で受付ける複数の受信部とを備え、複数の受信部は、コントローラが複数の方向に向けられて信号を出力することに対応できるように、複数の異なる場所に設けられていることを特徴とする。
【００１４】
好ましくは受信部は、撮影手段の近傍に設けられている。
好ましくは写真撮影装置の撮影空間内には、コントローラとは別に、撮影手段による撮影を開始するための指示を出力する操作手段が設けられている。
【００１５】
好ましくは写真撮影装置の撮影空間内には、コントローラを収納可能なコントローラ収納部が設けられている。
【００１６】
好ましくはコントローラは、リモコンまたは携帯電話である。
【発明を実施するための最良の形態】
【００１７】
［写真撮影装置の外観］
図１は、本発明の実施の形態の１つにおける写真撮影装置の外観の具体例を示す斜視図であり、図２は横から見た図であり、図３は上から見た図である。
【００１８】
図を参照して、写真撮影装置は、撮影筐体１０と編集筐体１１ａ，１１ｂとを備え、フレーム材（構造材）やパネル（壁面）やカーテン１２ａ，１２ｂなどで外部と区分された空間を備える。さらに、写真撮影装置の上述の空間は、撮影筐体１０の前方に存在する主に撮影操作を行なう撮影空間２と、編集筐体１１ａ，１１ｂの付近に存在する主に編集操作を行なう複数の編集空間３ａ，３ｂとに分かれる。
【００１９】
撮影筐体１０は、撮影空間２内の被写体である装置利用者を撮影するためのカメラ２１と、カメラ２１により得られた映像をリアルタイムに表示するライブモニタ２２と、リモコンや携帯電話などからの信号（赤外光）を受信する赤外線受光部９１と、蛍光灯やフラッシュを内蔵する照明装置２４と、プリント物を出力するプリント提供部８とを備えている。
【００２０】
また、撮影空間２内には、撮影を行なう被写体が登ったりつかまったりすることで体の位置を支えるための補助部材９３，９５が備えられている。
【００２１】
カーテン１２ａ，１２ｂの少なくとも一部は、リモコンや携帯電話が出力する赤外光を反射させることができる部材である、ターポリン（ポリエステル繊維の織物を軟質な合成樹脂フィルムで挟んだビニール系の素材）で構成される。
【００２２】
図４は、撮影空間２の後方に配置されるカーテンユニットなどを示す図である。
図に示されるように、撮影空間２の後方にはカーテンユニット１１５が備えられる。カーテンユニット１１５は、モータ、巻取り装置、さまざまな色や柄の背景ロールカーテンなどを含み、背景ロールカーテンによって撮影時の被写体の背景を形成する。背景ロールカーテンとしては、プレイ時の利用者の選択によって利用者が所望するものがセットされたり、予め所定の背景ロールカーテンが配置されたり、各々の撮影コースに対応した方法で決定された背景ロールカーテンが配置されたりする。
【００２３】
また、撮影空間２には上述したとおり補助部材９３，９５が備えられ、撮影時の被写体である利用者の体位の形成（ポーズ取り）を補助する。
【００２４】
さらに、撮影空間２には所定の位置に複数の遠隔撮影ボタン９７ａ，９７ｂが設けられており、これを押下することでリモコンの電池が切れたとき、またはリモコンや携帯電話がなくても撮影の指示が与えられる。
【００２５】
図５は、写真撮影装置の外観を示す図である。
図に示されるように、写真撮影装置の外観において、第１の編集空間３ａ、第２の編集空間３ｂおよび撮影空間２を取囲むようにしてカーテン１２ａ，１２ｂが設置される。
【００２６】
また、撮影により得られた画像に対してスタンプ画像などを合成した合成画像は、印刷データとしてレイアウトされ、シールシートにされ、プリント提供部８のプリント取出し口に排出される。
【００２７】
図６は、写真撮影装置の変形例を示す図である。
図に示されるようにこの変形例における写真撮影装置は、撮影空間２内に複数の赤外線受光部９１ａ〜９１ｃを備えている。このように複数の赤外線受光部を備えることにより、コントローラを持ったユーザが撮影指示を送ることができる方向が増す、すなわち、赤外線受光部９１がカメラ２１の下部の一箇所だけに設けられている場合に比べ、ユーザはコントローラをカメラ２１の下部の赤外線受光部９１にだけ向けて操作する必要がないため、撮影を行なうポーズのバリエーションを多くすることが可能となる。
【００２８】
図７は、写真撮影装置が使用される状況を示す平面図であり、図３に対応する図である。
【００２９】
図を参照して、被写体である複数の利用者Ｐ１〜Ｐ４のそれぞれがリモコンＲ１〜Ｒ４（赤外線通信を行なうことができる携帯電話でもよい）を持ち、赤外線受光部９１に対して撮影のタイミングである信号を出力させる。これに応じて、撮影が行なわれることとなる。このようにすることで、利用者Ｐ１〜Ｐ４の全員がコントローラの操作を同時に行うことができ、利用者Ｐ１〜Ｐ４にとっては、いつ誰が撮影指示の信号を出力する（コントローラの操作を行う）のかが分からないので、かえって写真撮影を楽しく行うことができる。
【００３０】
［写真撮影装置の機能構成］
図８は、写真撮影装置の機能構成の具体例を示す図である。
【００３１】
図８を参照して、本実施の形態にかかる写真撮影装置は、各機能や処理動作のための演算、制御の中心部となり、主に撮影側で行なわれるプレイの処理動作と、印刷を実行する撮影・印刷用コンピュータ装置１００ａと、主に編集側で行なわれるプレイの処理動作を実行する編集用コンピュータ装置１００ｂと（これらをまとめてコンピュータ装置１００という）、基板から構成され、コンピュータ装置１００からの指示を受けて、接続してある各種装置を制御、駆動する制御部１１０とを備える。撮影・印刷用コンピュータ装置１００ａと編集用コンピュータ装置１００ｂとは、互いに接続され、画像データや情報データなどの授受をピアツーピアで行なう。これらは写真撮影装置の制御手段として機能する。
【００３２】
写真撮影装置は、電源を必要とする蛍光灯２５、ストロボ２６などの電源系統を制御する電源制御部１０８を備え、外部からそれらの装置に対する電源の電圧を安定させるよう制御する。図示はしていないが、電源制御部１０８はストロボ２６などの他にも電源を必要とする機器に接続し、同様の制御を行なう。さらに、そのような電源の投入および切断は、電源スイッチを押すことで行なわれる。しかし、電源切断によりコンピュータ装置１００で動作しているプログラムを強制的に終了させることは、動作を不安定にさせ
る原因となる。そのため、電源が落とされても、しばらくはＵＰＳ（Uninterrupted Power Supply）１０９が電源をバックアップし、コンピュータ装置１００に停電信号を送信する。その間に、コンピュータ装置１００はプログラムの終了の手続を行ない、プログラムを正常に終了させる。一方、コンピュータ装置１００を正規の手順で終了した場合は、その旨の信号がＵＰＳ１０９に送信される。
【００３３】
撮影・印刷用コンピュータ装置１００ａは、撮影・印刷用コンピュータ装置１００ａの中心部として演算処理を行なう演算装置であるＣＰＵ(Central Processing Unit)１０１
ａと、装置を動作させるためのプログラムおよびプログラムで必要なグラフィックデータ、音声データ、撮影された画像や撮影画像に対して入力した編集画像その他の各種画像などを記憶する記憶部１０２ａと、プログラムの一時的な作業領域ともなるメモリ１０３ａと、カメラ、各種モニタ、プリンタなどの周辺機器を制御するためのソフトウェアであるドライバ１０４ａと、ＬＡＮケーブルを介して外部機器と接続された場合に通信を行なう通信部１０５ａ（不図示）とを含む。また、入出力インターフェイス１０６（不図示）を備え、必要に応じて、磁気ディスクや光ディスクや光磁気ディスク、または半導体メモリが装着される。編集用コンピュータ装置１００ｂは、撮影・印刷用コンピュータ装置と同様な構成とするため詳細な説明は繰り返さない。
【００３４】
コンピュータ装置１００は、電源の投入及び切断を制御する電源スイッチが押され、本装置に電源プラグより電源が投入されると、プログラムが起動されて動作を開始する。撮影・印刷用コンピュータ装置１００ａは、接続されるカメラ２１のシャッタタイミングや、ライブモニタ２２での表示や、プリンタ８５での出力を制御する。編集用コンピュータ装置１００ｂは、接続される編集操作用ディスプレイ３１での表示を制御する。
【００３５】
撮影・印刷用コンピュータ装置１００ａのＣＰＵ１０１ａは、カメラ２１が撮像する映像（ライブ映像）と、記憶部１０２ａに記憶されている撮影動作に関する指示や操作画面とをライブモニタ２２や撮影操作用ディスプレイ２３に表示する。ライブモニタ２２への表示は、プログラムに応じてライブ映像のみを表示したり、操作画面を表示したり、ライブ映像と操作画面とを合成して表示したり、別の画面を表示したりする。
【００３６】
ライブ映像と撮影動作に関する情報や操作画面との合成は撮影・印刷用コンピュータ装置１００ａの記憶部１０２ａに記憶されているソフトウェアで行なってもよいし、このような合成をするための専用の制御装置（基板）をライブモニタ２２に接続するなどハードウェアで行なってもよい。
【００３７】
また、撮影・印刷用コンピュータ装置１００ａは、上記プログラムの実行や、撮影操作用ディスプレイ２３に含まれるタッチパネルから受信した、利用者の指などでタッチされる入力操作にしたがった指示信号に基づいて、制御部１１０に対して制御信号を送信する。編集用コンピュータ装置１００ｂは、編集操作用ディスプレイ３１に含まれるタッチパネルから受信した、タッチペン３３でタッチされる入力操作にしたがった指示信号に基づいて、制御部１１０に対して制御信号を送信する。
【００３８】
タッチパネルは、モニタ（ディスプレイ）の上に積層されている。タッチパネルは、利用者の指などが触れられることによる入力を検出する。
【００３９】
撮影操作用ディスプレイ２３やライブモニタ２２には、撮影・印刷用コンピュータ装置１００ａから送信されるデータが表示される。撮影・印刷用コンピュータ装置１００ａから送信されるデータとは、カメラ２１から撮像される映像や撮影指示や選択肢などであり、これらを適宜画面に表示することによって、撮影時の映像の視覚確認や各種誘導案内などを行なう。
【００４０】
編集操作用ディスプレイ３１は、タッチペン３３からの入力を検出する。タッチペン３３での入力操作によって編集操作用ディスプレイ３１により検出されたデータ信号は、編集用コンピュータ装置１００ｂに送信される。編集操作用ディスプレイ３１には、編集用コンピュータ装置１００ｂから送信されるデータが表示される。したがって、利用者が落書きなどを入力している最中は、落書きなどが施された撮影画像が、編集操作用ディスプレイ３１に表示される。すなわち、利用者は編集操作用ディスプレイ３１に表示された撮影画像に対して、タッチペン３３を使用して、その上に編集入力処理を行なうことができる。
【００４１】
プリンタ８５は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、写真撮影装置は、プリンタ８５でシールが印刷されるものとして説明を行なうが、印刷媒体はシールに限定されず、他の印刷媒体であっても同様の処理が実行される。
【００４２】
プリンタ８５は、上述の用紙切れなどの状態を撮影・印刷用コンピュータ装置１００ａに通知する。撮影・印刷用コンピュータ装置１００ａは、その状態に応じて制御部１１０に制御信号を送信する。
【００４３】
なお、コンピュータ装置１００に各々接続される構成要素はこのような形態に限定されず、機能ごとに分かれていたり、位置ごとに分かれていたりしてもよい。さらに、コンピュータ装置１００は本実施形態のような２台で構成されていなくてもよく、１台でもよいし、２台以上で構成されていてもよい。
【００４４】
制御部１１０は、撮影・印刷用コンピュータ装置１００ａ、編集用コンピュータ装置１００ｂおよび電源制御部１０８の他に、コイン制御部１１３、ストロボ制御部１１４、撮影用スピーカ２７、カーテンユニット１１５、編集用スピーカ３７、印刷中ＬＥＤ８１、印刷エラーＬＥＤ８２、サービスパネル１１６、赤外線受光部９１、および遠隔撮影ボタン９７に接続される。
【００４５】
赤外線受光部９１は、携帯電話ＣやリモコンＲからの信号を受光し、必要に応じて携帯電話との間で赤外線通信を行なう部材である。
【００４６】
コイン制御部１１３は、コイン投入口に投入されたコインの正当性を検出し、制御部１１０にコインが投入されたことを示す検出信号を送信する。
【００４７】
制御部１１０は、コンピュータ装置１００から受信した制御信号にしたがって、コイン制御部１１３に対して制御信号を送信する。コイン制御部１１３は、該制御信号にしたがって、コインが投入されないようにコイン投入口をブロックするか、コイン投入口に投入されたコインをコイン排出口から排出することができる。コイン制御部１１３は、前者の場合はコインブロッカとして機能し、後者の場合はコインキャンセラとして機能する。このことで、プレイ中にコイン投入を禁止することができる。
【００４８】
ストロボ制御部１１４はカメラ２１に接続されて、カメラ２１におけるシャッタタイミングに応じた同期信号を取得する。そして、カメラ２１のシャッタタイミングに同期させて、ストロボ２６を発光させるように制御する。なお、ストロボ制御部１１４は制御部１１０と接続され、発光させるストロボ２６などの閃光照明装置の選定や、ストロボ２６の発光度の設定がなされる。蛍光灯２５などの常灯照明装置も同様に制御部１１０と接続され、その照明度合いなどの設定がなされるようにしてもよい。
【００４９】
制御部１１０は、撮影・印刷用コンピュータ装置１００ａから受信した制御信号（指示コマンドなど）にしたがって、撮影用スピーカ２７に対して指示信号を送信し、写真撮影装置の撮影プレイにおける操作などの案内やＢＧＭ（Back Ground Music）などを出力する。同様に制御部１１０は、編集用コンピュータ装置１００ｂから受信した制御信号にしたがって、編集用スピーカ３７に指示信号を送信し、写真撮影装置の編集プレイにおける操作などの案内やＢＧＭなどを出力する。なお、撮影用スピーカ２７または編集用スピーカ３７の音声のボリュームを調整する音量調整つまみは、サービスパネル１１６に備えられる。
【００５０】
また、制御部１１０は、撮影・印刷用コンピュータ装置１００ａから、撮影操作用ディスプレイ２３によって利用者が所望の背景を選択する入力操作にしたがった指示信号を受信し、該指示信号にしたがってカーテンユニット１１５を制御することにより、背景ロールカーテンの巻取りや繰り出しを制御する。このようにカーテンユニット１１５で、モータの動作を制御することによって、利用者が選択した背景画像に対応した背景ロールカーテンを巻取装置から繰り出しセットする。また、撮影・印刷用コンピュータ装置１００ａから受信した制御信号（指示コマンドなど）によって自動的に背景画像に対応した背景ロールカーテンのセットがなされてもよい。
【００５１】
サービスパネル１１６は、投入されたコインの枚数をカウントするコインカウンタ、印刷されたプリントの枚数をカウントするプリントカウンタ、撮影用スピーカ２７または編集用スピーカ３７から出力する音声のボリュームを調整する音量調整つまみ、テストモードを行なうためのテストボタン、コインを投入しなくても装置が利用できるようにするためのサービスボタン等を備えるパネルであって、写真撮影装置の設置者が各種設定やメンテナンスの操作を行なう際に用いる。サービスパネル１１６は、サービスボタンの操作などの制御操作が行なわれると、その操作にしたがった制御信号を制御部１１０に対して送信する。
【００５２】
制御部１１０は、コンピュータ装置１００から受信した制御信号にしたがって、サービスパネル１１６に対して制御信号を送信する。サービスパネル１１６は、該制御信号に従って、コインカウンタやプリントカウンタを動作させる（例えばカウンタを１インクリメントする）。
【００５３】
さらに、制御部１１０は、撮影・印刷用コンピュータ装置１００ｂから、プリンタ８５の状態に応じた制御信号を受信し、該制御信号にしたがって、印刷中ＬＥＤ８１及び印刷エラーＬＥＤ８２を制御する。かかる制御信号によって、印刷中ＬＥＤ８１、および印刷エラーＬＥＤ８２が点灯または点滅する。
【００５４】
なお、言うまでもなく、写真撮影装置の形態は図１〜図８に示される具体例に限定されるものではない。すなわち、図１〜図８に記載されない他の機能が備えられていてもよいし、図１〜図８に記載されている機能の必ずしも全てが備えられていなくても構わない。
【００５５】
図９は、リモコンＲの外観を示す図である。
図に示されるように、リモコンＲは利用者の手に握りやすい卵型の形状を有しており、ボタン５０１と、ボタン５０１が押下されることにより赤外線を発光させる発光素子５０３とを備えている。
【００５６】
図１０は、リモコンＲの回路構成を示すブロック図である。
図を参照して、リモコンＲは、利用者が押下することができるボタン５０１と、発光素子５０３と、ボタン５０１が押下されることに伴い発光素子５０３の発光を制御する制御部５０５とを備えている。
【００５７】
図１１は、利用者が赤外線受光部９１に対して信号を送信することができる携帯電話の回路構成を示すブロック図である。
【００５８】
図を参照して、携帯電話Ｃは、装置全体の制御を行なう制御部６０１と、音声を出力するスピーカ６０３と、音声を入力するマイク６０５と、カラー液晶表示装置から構成される表示部６０７と、テンキーや他の機能キーを含む入力部６０９と、基地局との間で通信を行なう通信部６１１と、プログラムやデータなどを記憶するＲＯＭ６１３と、データを一時的に保存するＲＡＭ６１５と、写真撮影装置との間で通信を行なう赤外線通信部６１７と、外部メモリ６１９とを備えている。
【００５９】
図１２は、赤外線受光部（受信センサ）９１と、カメラ２１との間の制御機構を説明するためのブロック図である。
【００６０】
図を参照して、赤外線受光部（受信センサ）９１から信号が入力されると、それは制御部１１０へ送信され、ＰＣ１００ａを通じてカメラ２１へ送られる。これにより、ＰＣ１００ａは、赤外線受光部（受信センサ）９１を介した撮影の指示に伴う所定のタイミングでカメラ２１を駆動し、撮影を行なう。
【００６１】
［撮影プレイ処理］
図１３は、写真撮影装置が行なう撮影プレイ処理を示すフローチャートである。
【００６２】
図を参照して、ステップＳ１において初期化処理が行なわれる。次に、ステップＳ３において、タイトルデモ画面を表示し、ステップＳ５でテストボタンが押下されたかを判定する。ＹＥＳであれば、ステップＳ７でテストモードを実行し、ステップＳ３へ戻る。
【００６３】
また、ステップＳ５においてＮＯであれば、ステップＳ９で所定の対価が投入されたかを判定し、ＮＯであればステップＳ３へ戻り、ＹＥＳであればステップＳ１１へ進む。
【００６４】
ステップＳ１１においては、撮影操作を開始するように促す画面をディスプレイに表示する。
【００６５】
ステップＳ１３において撮影コース選択画面を表示し、リモコンコースを選ぶか、ノーマルコースを選ぶかをユーザに促す。
【００６６】
ステップＳ１５でリモコンコースが選択されたかが判定され、ＹＥＳであればステップＳ１７でリモコンコース撮影処理を実行し、ＮＯであれば、ステップＳ１９でノーマルコース撮影処理を実行する。
【００６７】
その後、ステップＳ２１において編集部の割当て処理を行ない、ステップＳ３へ戻る。
［編集プレイ処理］
図１４は、編集空間３ａ，３ｂで行なわれる編集プレイ処理を示すフローチャートである。
【００６８】
なお、編集空間３ａ，３ｂのそれぞれにおいて実行される編集処理の内容は、場所や位置などは異なるが、同様な構成であり、同様な処理が行なわれるため、編集空間３ａの説明のみで、説明の重複部分は繰り返さない。各編集空間での処理は編集用コンピュータ装置１００ｂによって制御される。
【００６９】
上記電源スイッチが操作され、電源が投入されると、編集用コンピュータ装置１００ｂのＣＰＵ１０１ｂは、記憶部１０２ｂに記憶されたプログラムを起動する。ついで、ＣＰＵ１０１ｂは、各種装置が正常に接続されているかチェックし、初期化処理を行なう（Ｓ５１）。初期化処理では、初期化が必要な装置に対して初期化が行なわれる。
【００７０】
ついで、ＣＰＵ１０１ｂは、利用者に編集操作を待機させるための待機画面または撮影からプレイを開始するように案内する画面を編集操作用ディスプレイ３１に表示し、それに応じて編集側スピーカ３７から、利用者に使用を待機させる案内を音声で出力する待機処理を行なう（Ｓ５３）。ついで、ＣＰＵ１０１ｂは、撮影・印刷用コンピュータ装置１００ａから転送開始された撮影画像データを受信したか否かを判別する（Ｓ５５）。すなわち、ＣＰＵ１０１ｂは、待機画面を表示しながら、撮影画像データの受信を開始したか否かを監視する。ここで、撮影画像データの受信を開始していないと判別すると（Ｓ５５でＮＯ）、このまま撮影画像データを受信するまで待機する。
【００７１】
撮影画像データの受信を開始すると（Ｓ５５でＹＥＳ）、ＣＰＵ１０１ｂは、撮影画像データを受信中であることを、編集操作ディスプレイ３１に案内表示し（Ｓ５７）、撮影画像データの受信が終了したか否かを判別する（Ｓ６１）。撮影画像データの受信が終了していないうちは（Ｓ６１でＮＯ）、引き続き撮影画像受信中の案内を表示し、撮影画像データの転送が終了したら（Ｓ６１でＹＥＳ）、Ｓ６３に進む。
【００７２】
ＣＰＵ１０１ｂは、利用者からタッチペン３３による編集対象画像に対する編集入力を受け付ける編集処理（Ｓ６３）を行なう。
【００７３】
利用者が編集処理を行なっている間、ＣＰＵ１０１ｂは、編集処理が終了したか否かを監視する（Ｓ６５）。編集時間はタイマの残り時間が“０”になり、編集制限時間に達することによって終了する。このようにすることで、利用者の１回のプレイ時間が長引くことを防止することができ、このため、本装置の稼動回転率（顧客回転率）の低下を防止することができる。
【００７４】
ついで、ＣＰＵ１０１ｂは、上記編集処理が終了すると、印刷画像を選択させる処理を行ない（Ｓ６７）、利用者所望のシールレイアウトの選択を行なう印刷レイアウト選択処理を行なう（Ｓ６９）。印刷レイアウト選択処理では、編集対象画像の枚数に応じて、予め決められた複数の印刷レイアウトで構成された印刷レイアウト画面を表示し、上記複数の印刷レイアウトの中から利用者に対し好みの印刷レイアウトを選択させるようになっている。
【００７５】
上記印刷レイアウト選択処理が終了すると、ＣＰＵ１０１ｂは、編集操作ディスプレイ３１に「シールをプリント中です。プリント取出口の前で待ってね。」など、利用者をプリント取出口に誘導する画面を表示し、同時に誘導するアナウンス音声（例えば「シールは左から出るよ！」）を、編集用スピーカ３７から出力する。こうして、利用者をプリント取出口８の前に誘導する（Ｓ７１）。
【００７６】
ＣＰＵ１０１ｂは、選択されたレイアウトに基づいて撮影画像と入力された落書き用画像とを合成した合成画像とを含む印刷画像データを作成する。そして、編集用コンピュータ装置１００ｂから撮影・印刷用コンピュータ装置１００ａへ作成された印刷画像データの転送を開始する（Ｓ７３）。印刷データの転送が完了したら（Ｓ７５でＹＥＳ）、ステップＳ５３へ戻り、次の利用者の編集操作を待機する。
【００７７】
以上が、編集プレイ処理の説明である。
［印刷処理］
ついで、印刷処理の説明をする。
【００７８】
図１５は、写真撮影装置が実行する印刷処理を示すフローチャートである。
図１４のステップＳ７３で編集用コンピュータ装置１００ｂから、印刷画像データの転送が開始されると（Ｓ８１でＹＥＳ）、その受信が完了したかを判定する（Ｓ８３）。完了すると、印刷開始ＯＫとなるまで（Ｓ８７）、印刷ジョブをプールする（Ｓ８５）。
【００７９】
撮影・印刷用コンピュータ装置１００ａのＣＰＵ１０１ａは、印刷画像をシールシートの表面に印刷させる印刷制御を行なう印刷開始処理を行なう（Ｓ８９）。すなわち、プリンタ８５は撮影画像と落書き用画像との合成画像がレイアウトに応じて複数配置された印刷画像データをシールシートに印刷出力する。ステップＳ９１において、印刷終了が検出されると、ステップＳ８１に戻る。
【００８０】
印刷が終了したら、シールシートはプリント取出口８に排出され、利用者に提供される。
【００８１】
［ノーマル撮影コース］
図１６は、図１３のノーマルコース撮影処理（Ｓ１９）の内容を示すフローチャートである。
【００８２】
図を参照して、ステップＳ１０１においてタイマの計測を開始し、ステップＳ１０３において写り（照明）の選択画面をユーザに対して表示する。
【００８３】
ステップＳ１０５において写り（照明）の選択が決定されたか、あるいは所定時間が経過したかを判定し、ＹＥＳになればステップＳ１０７で現在選択されている写り（照明パターン）を装置に設定する。
【００８４】
ステップＳ１０９で背景選択画面を表示し、ステップＳ１１１で背景選択が決定されたか、または所定時間が経過したかを判定し、ＹＥＳとなればステップＳ１１３で現在選択されている背景に対応するカーテンを設定する。
【００８５】
ステップＳ１１５において明るさ選択画面を表示し、ステップＳ１１７で明るさ選択が決定されたか、または所定時間が経過したかを判定する。ステップＳ１１７でＹＥＳとなれば、ステップＳ１１９で現在選択されている明るさで照明を設定する。
【００８６】
ステップＳ１２１においてカウントダウンを開始し、ステップＳ１２３でカウントダウンが終了したと判定されると、ステップＳ１２５で撮影（シャッタ動作）を行なう。
【００８７】
ステップＳ１２７でプレビュー画面を表示し、ステップＳ１２９で所定回数（ここでは２セット）の撮影が終了したかを判定する。ここで、ＮＯであればステップＳ１２１へ戻り、ＹＥＳであればステップＳ１３１において所定枚数（ここでは１０枚）の撮影が終了したか、または所定時間が経過したかを判定する。ステップＳ１３１でＮＯであればステップＳ１０３へ戻り、ＹＥＳであればメインルーチンへ戻る。
【００８８】
［リモコン撮影コース］
図１７は、図１３のリモコンコース撮影処理（Ｓ１７）の内容を示すフローチャートである。
【００８９】
図を参照して、ステップＳ１５１においてタイマ計測を開始し、ステップＳ１５３で利用者に案内画面を表示する。
【００９０】
ステップＳ１５５においてリモコンＲ（または携帯電話Ｃ）からの赤外線信号の受付を開始し、ステップＳ１５７でリモコン信号受付画面を表示する。これにより、装置利用者にリモコンの使用可のタイミングであることを示す。
【００９１】
ステップＳ１５９で、リモコンＲ（または携帯電話Ｃ）から所定の赤外線信号（撮影指示の信号）を受付けたかを判定し、ＹＥＳであればステップＳ１６１で受光音を撮影用スピーカ２７から出力し、ステップＳ１６７へ進む。
【００９２】
また、ステップＳ１６３で遠隔撮影ボタン９７により撮影指示を受付けたかを判定し、ＹＥＳであればステップＳ１６７へ進む。
【００９３】
また、ステップＳ１６３でＮＯであれば、ステップＳ１６５で所定時間経過したかを判定し、ＮＯであればステップＳ１５９へ戻り、ＹＥＳであればステップＳ１６７へ進む。
【００９４】
ステップＳ１６７においてリモコンＲ（または携帯電話Ｃ）からの信号の受付を終了する。このとき、リモコンの受付タイミングが終了した旨を装置利用者に表示するようにしても良い。
【００９５】
その後、ステップＳ１６９においてカウントダウンを開始し、ステップＳ１７１でカウントダウンは終了したかを判定する。ステップＳ１７１でＹＥＳとなれば、ステップＳ１７３で撮影（シャッタ動作）を行ない、ステップＳ１７５においてプレビュー画面を表示する。
【００９６】
ステップＳ１７７において所定枚数（ここでは１０枚）の撮影が終了したか、または所定時間が経過したかを判定し、ＮＯであればステップＳ１５３へ戻り、ＹＥＳであればメインルーチンへ戻る。
【００９７】
［編集部割当処理］
図１８は、編集部割当処理（図１３のステップＳ２１）の内容を示すフローチャートである。
【００９８】
まず、ＣＰＵ１０１ａは、現在の編集部割当フラグ（ｆ）の値を参照し、当該値がｆ＝０であるか否かを判別する（Ｓ２０１）。ここで、編集部割当フラグ（ｆ）の値がｆ＝０であると（Ｓ２０１でＹＥＳ）、ステップＳ２０３に進み、編集部割当フラグ（ｆ）の値がｆ＝１であると（Ｓ２０１でＮＯ）、ステップＳ２１１に進む。
【００９９】
編集部割当フラグ（ｆ）の値がｆ＝０であると（Ｓ２０１でＹＥＳ）、ＣＰＵ１０１ａは、現在、撮影空間２にいる利用者が編集筐体１１ａを使用可能であるか否かを判別する（Ｓ２０３）。ここで、編集筐体１１ａを使用可能であると判別すると（Ｓ２０３でＹＥＳ）、Ｓ２０７へ進み、編集筐体１１ａを使用可能でないと判別すると（Ｓ２０３でＮＯ）、Ｓ２０５へ進む。
【０１００】
「編集筐体を使用可能」とは、先にプレイしている別グループの利用者が編集筐体を使用中でない場合や、編集筐体が故障中でない場合を含む。
【０１０１】
撮影空間２にいる利用者が編集筐体１１ａを使用可能であると（Ｓ２０３でＹＥＳ）、ＣＰＵ１０１ａは、利用者を編集筐体１１ａへ誘導するように促す誘導案内を行なう（Ｓ２０７）。具体的には操作モニタに「青のブースに移動してね！」などの表示をし、撮影用スピーカ２７から音声で上述のような誘導案内を出力することにより、利用者に対して青色ブース、すなわち編集空間３ａに移動するように促す。
【０１０２】
ついで、利用者を編集筐体１１ａへ誘導すると、ＣＰＵ１０１ａは、編集対象画像（撮影画像）を編集筐体１１ａへ転送する画像データ転送処理を行なう（Ｓ２０９）。画像データ転送処理では、撮影・印刷用コンピュータ装置１００ａに記憶されている利用者の撮影画像を、編集用コンピュータ装置１００ｂの記憶部１０２ｂの編集筐体１１ａに対応する画像データ用の記憶領域へ転送するようになっている。
【０１０３】
そして、転送が終了したら、編集部割当フラグ（ｆ）の値を切り替える。すなわち、編集部割当フラグ（ｆ）の値がｆ＝０ならｆ＝１に切り替え、編集部割当フラグ（ｆ）の値がｆ＝１ならｆ＝０に切り替える。
【０１０４】
撮影空間にいる利用者が編集筐体１１ａを使用可能でないと（Ｓ２０３でＮＯ）、ＣＰＵ１０１ａは、利用者に対して編集筐体１１ａを使用可能になるまで、撮影空間２の外部で待機するように促す待機案内を行なう（Ｓ２０５）。具体的には、撮影操作用ディスプレイ２３に「外に出て青のブースの横で待ってね！」などの待機表示や、エラー案内を表示し、撮影用スピーカ２７から音声で上述のような待機案内、またはエラー案内を出力することにより、利用者に対して撮影空間の外部で編集筐体１１ａ周辺の位置に待機させるように促す。そして、編集筐体１１ａが使用可能となるか否かを監視する。
【０１０５】
ＣＰＵ１０１ａは、編集筐体１１ａが使用可能でなければ（Ｓ２０３でＮＯ）、引き続き編集筐体１１ａが使用可能になるか否かを監視し、編集筐体１１ａが使用可能であれば（Ｓ２０３でＹＥＳ）、撮影画像を編集用コンピュータ装置１００ｂの記憶部１０２ｂの編集筐体１１ａに対応する領域へ転送する画像データ転送処理を行ない（Ｓ２０９）、編集部割当フラグ（ｆ）の値を切り替える。
【０１０６】
一方Ｓ２０１において、編集部割当フラグ（ｆ）の値がｆ＝１であると（Ｓ２０１でＮＯ）、ＣＰＵ１０１ａは、現在撮影空間にいる利用者が編集筐体１１ｂを使用可能であるか否かを判別する（Ｓ２１１）。そして、以降のＳ２１１からＳ２１７までの処理は、上述の編集筐体１１ａのＳ２０３からＳ２０９までの処理と同様であるため、詳細な説明は繰り返さない。
【０１０７】
すなわち、ＣＰＵ１０１ａは、落書き入力をどちらの編集筐体で実行させるかを交互に決定し、上記決定結果に応じて利用者を編集筐体１１ａまたは編集筐体１１ｂへ誘導するよう、誘導手段（操作モニタ、スピーカ）を使用して制御するようになっている。
【０１０８】
前述のような案内に従って、利用者は編集筐体１１ａまたは編集筐体１１ｂへ移動する。利用者が移動する方向を迷わないようにするために、たとえば矢印とともに「第１編集ブース」と表示し、編集筐体１１ａの方向を示す案内と、矢印とともに「第２編集ブース」と表示し、編集筐体１１ｂの方向を示す案内とを撮影空間２内のパネルまたはサイドカーテンなどに表示しておくことが好ましい。
【０１０９】
また、編集筐体への誘導案内画面は、編集割当フラグ（ｆ）の値を参照することによって、どちらの編集筐体を利用するかは判定できるため、撮影処理終了後に限定されることなく、どのタイミングで表示しても構わない。このため、利用者は撮影プレイ前にどちらの編集筐体を利用するのかを意識することができるため、編集筐体への移動の際に迷うことが少なくなり回転がスムーズになる。
【０１１０】
以上が、編集部割当処理の説明である。
［リモコン撮影コースの変形例］
図１９は、図１７に示されるリモコンコース撮影処理の変形例を示すフローチャートである。
【０１１１】
図１７においては、リモコン信号受付画面を表示した後（Ｓ１５７）、所定の赤外線信号による撮影指示（Ｓ１５９）や、遠隔撮影ボタンによる撮影指示（Ｓ１６３）を受付け、撮影指示の受付が行なわれた場合や所定時間が経過した場合（Ｓ１６５でＹＥＳ）には、ステップＳ１６７でリモコン信号の受付を終了する。
【０１１２】
このような処理を行なうことで、撮影の指示を受付けるタイミングを所定の期間に限定し、所定の期間を経過した後は赤外線受光部９１で撮影指示を受付けたとしてもその指示に応じない（または、撮影指示の受付を禁止する）。これにより、装置の利用者とは異なる者などがリモコンや携帯電話や遠隔撮影ボタンを操作しても、撮影が行なわれる可能性を減らすことができるという効果がある。
【０１１３】
図１９においては、このような処理を行なわずに、ステップＳ１７７において所定枚数（ここでは１０枚）の撮影が終了したか、または所定時間が経過したかを判定し、ＹＥＳであったときに初めてリモコン信号の受付けを終了する（Ｓ１７９）。
【０１１４】
［各画面の説明］
図２０は、図１３のステップＳ１３で表示される撮影コース選択画面を示す図である。
【０１１５】
図に示されるように、この画面においてユーザはリモコンコースとノーマルコースのいずれかを選択することができる。
【０１１６】
図２１は、図１６のステップＳ１０３で表示される写り（照明）選択画面を示す図である。
【０１１７】
この画面においてユーザは写真の写り方（延いては照明の方法）を選択することができる。
【０１１８】
図２２は、図１６のステップＳ１０９で表示される背景選択画面を示す図である。
この画面においてユーザは複数の背景の中から好みの背景を選択することができる。
【０１１９】
図２３は、図１６のステップＳ１１５で表示される明るさ選択画面を示す図である。
この画面においてユーザは複数の明るさの中から好みの明るさを選択することができる。
【０１２０】
図２４は、図１６のステップＳ１２７、図１７または図１９のステップＳ１７５で表示されるプレビュー画面を示す図である。
【０１２１】
この画面においてユーザは撮影により得られた写真を確認することができる。
図２５は、図１７または図１９のステップＳ１５３で表示される案内画面を示す図である。
【０１２２】
この画面においては、ユーザに対してリモコンまたは携帯電話を利用した撮影ができる旨の告知がなされる。
【０１２３】
図２６は、図１７または図１９のステップＳ１５７で表示されるリモコン信号受付画面を示す図である。
【０１２４】
この画面においては、ユーザに対してリモコンまたは携帯電話を用いたシャッタ操作のタイミングであることを示す表示がなされる。
【０１２５】
［携帯電話による操作について］
なお、上述のように写真撮影装置はリモコン以外にも携帯電話を用いて操作されることが可能である。
【０１２６】
図２７は、携帯電話に外部サーバから写真撮影装置を制御するためのプログラムをダウンロードする状況を示す図である。
【０１２７】
図を参照して、携帯電話Ｃ１からサーバ７０１に対して写真撮影装置を制御するための専用アプリケーションのダウンロードを要求する。これを受けたサーバ５０１は、携帯電話Ｃ１に専用のアプリケーションを送信する。
【０１２８】
また、アプリケーションのダウンロード要求やアプリケーションのダウンロードは、インターネットを介して行なうようにしてもよい。
【０１２９】
また、写真撮影装置を制御するためのプログラムは、写真撮影装置から直接携帯電話へ送信するようにしてもよい。
【０１３０】
図２８は、写真撮影装置（ここでは写真シール作成装置であるものとする。）からそれを制御するためのプログラムを携帯電話に送信する状況を示す図である。
【０１３１】
図に示されるように、写真シール撮影装置１ａ，１ｂはそれぞれプログラムを記録した記憶部７０３ａ，７０３ｂを有している。また、それぞれの写真シール作成装置１ａ，１ｂは、接続部７０５ａおよび送受信部７０５ｂを有しており、携帯電話Ｃ１，Ｃ２と有線または無線で通信することが可能である。これにより携帯電話Ｃ１，Ｃ２に専用のプログラムを送信し、記憶させることが可能である。
【０１３２】
図２９は、写真撮影装置の操作を行なう携帯電話に記録されるプログラムの処理を示すフローチャートであり、図３０は、携帯電話に表示される画面を示す図である。
【０１３３】
図を参照して、ステップＳ３０１において操作画面を表示する（図３０のＳ３０１参照）。
【０１３４】
ステップＳ３０３においてキー入力などによる撮影指示が選択されたかを判定し、ＹＥＳであればステップＳ３０５で赤外線の送信を開始する。
【０１３５】
ステップＳ３０７において赤外線送信を行なっている画面を表示し（図３０のＳ３０７参照）、ステップＳ３０９で赤外線受光部が写真撮影装置からの赤外線を受信したかを判定する。
【０１３６】
ＮＯであればステップＳ３１１において、キャンセルされたかが判定され、ここでＮＯであればステップＳ３１３で赤外線の送信を開始してから所定時間が経過したかを判定する。
【０１３７】
ここでＹＥＳであれば、ステップＳ３１５で受信失敗画面を表示し（図３０のＳ３１５参照）ステップＳ３０３へ進む。
【０１３８】
また、ステップＳ３１３でＮＯであれば、ステップＳ３０９へ戻る。
ステップＳ３０９において赤外線受光部が赤外線を受信したと判定されたのであれば、ステップＳ３１７において受信成功画面を表示し（図３０のＳ３１７参照）、ステップＳ３０１へ戻る。
【０１３９】
また、ステップＳ３０３においてＮＯであれば、ステップＳ３１９において終了の選択がなされたかを判定し、ＹＥＳであればここでの処理を終了し、ＮＯであればステップＳ３０３へ戻る。
【０１４０】
なお、上記写真撮影装置においては、図３１に示すように、撮影筐体１０に、この撮影筐体１０と一体で半円柱状に窪んだコントローラ収納部１０５を形成しても良い。このような構成とすることで、ユーザが使用し終わったコントローラ（この場合はリモコン）を整然と収納することができる。さらに、図示は省略するが、このコントローラ収納部１０５の内側の面、すなわち収納されたリモコンに接触する面を、ウレタンやスポンジ等のクッション材で覆うことで、リモコンの破損を抑制することができる。
【０１４１】
［実施の形態における効果］
このようにして、本実施の形態によると以下の効果を奏する。
【０１４２】
（１）  写真撮影装置のカーテン１２ａ，１２ｂの少なくとも一部は、リモコンや携帯電話が出力する赤外光を反射させることができる部材である、ターポリンで構成されるため、赤外線受光部９１の方向に向けてリモコンや携帯電話からの赤外線が発せられなくても、撮影指示を写真撮影装置で認識することができる可能性が上がり、これによりユーザの操作性を向上させることができる。また、ユーザのポーズのバリエーションを増やすことができる。
【０１４３】
（２）  赤外線受光部９１で撮影指示を受付けるタイミングをユーザに表示することができるため、ユーザからは的確なタイミングで撮影指示を得ることができ、また、第三者からの撮影指示が誤って装置に入力されることを防ぐことができる。
【０１４４】
（３）  また、複数の赤外線受光部９１を装置に備えることで、赤外線をキャッチできる範囲が広がり、これによりユーザの操作性を向上させることができる。また、ユーザのポーズのバリエーションを増やすことができる。
【０１４５】
（４）  また、複数のユーザのそれぞれからの撮影指示を受付けるために複数のコントローラからの指示を同時に受付けることができる構成とすることで、ユーザの操作性を向上させ、またユーザの遊戯における楽しさを向上させることができる。
【０１４６】
（５）  なお、図２０の場面においてリモコンコースの選択は、リモコンからの入力からのみによって受付けるようにしても良い。このような構成により、リモコンが無い（あるいは電池切れである）にもかかわらず、リモコンコースが選択されることを防ぐことができる。
【０１４７】
（６）  さらに、図１に示されるように赤外線受光部９１はカメラ２１の近くに配置することが望ましい。特に、赤外線受光部９１がカメラ２１の下部に設けられると、ユーザは赤外線受光部９１の方向を見ることが考えられるため、目線がカメラの方向に向いた写真が撮影できる可能性が高まるからである。
【０１４８】
［その他］
なお、上述の写真撮影装置のコンピュータ装置１００の制御方法を、プログラムとして提供することもできる。このようなプログラムは、コンピュータに付属するフレキシブルディスク、ＣＤ−ＲＯＭ、ＤＶＤ−ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、電気通信回線や衛星通信回線などのネットワークを通じて、プログラムを提供することもできる。
【０１４９】
提供されるプログラム製品は、ハードディスクなどのプログラム格納部にインストールされて実行される。なお、プログラム製品は、プログラム自体と、プログラムが記録された記録媒体とを含む。
【０１５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５１】
【図１】本発明の実施の形態の１つにおける写真撮影装置の外観の具体例を示す斜視図である。
【図２】写真撮影装置を横から見た図である。
【図３】写真撮影装置を上から見た図である。
【図４】撮影空間２の後方に配置されるカーテンユニットなどを示す図である。
【図５】写真撮影装置の外観を示す図である。
【図６】写真撮影装置の変形例を示す図である。
【図７】写真撮影装置が使用される状況を示す平面図である。
【図８】写真撮影装置の機能構成の具体例を示す図である。
【図９】リモコンＲの外観を示す図である。
【図１０】リモコンＲの回路構成を示すブロック図である。
【図１１】利用者が赤外線受光部９１に対して信号を送信することができる携帯電話の回路構成を示すブロック図である。
【図１２】赤外線受光部（受信センサ）９１と、カメラ２１との間の制御機構を説明するためのブロック図である。
【図１３】写真撮影装置が行なう撮影プレイ処理を示すフローチャートである。
【図１４】編集空間３ａ，３ｂで行なわれる編集プレイ処理を示すフローチャートである。
【図１５】写真撮影装置が実行する印刷処理を示すフローチャートである。
【図１６】図１３のノーマルコース撮影処理（Ｓ１９）の内容を示すフローチャートである。
【図１７】図１３のリモコンコース撮影処理（Ｓ１７）の内容を示すフローチャートである。
【図１８】編集部割当処理（図１３のステップＳ２１）の内容を示すフローチャートである。
【図１９】図１７に示されるリモコンコース撮影処理の変形例を示すフローチャートである。
【図２０】図１３のステップＳ１３で表示される撮影コース選択画面を示す図である。
【図２１】図１６のステップＳ１０３で表示される写り（照明）選択画面を示す図である。
【図２２】図１６のステップＳ１０９で表示される背景選択画面を示す図である。
【図２３】図１６のステップＳ１１５で表示される明るさ選択画面を示す図である。
【図２４】図１６のステップＳ１２７、図１７または図１９のステップＳ１７５で表示されるプレビュー画面を示す図である。
【図２５】図１７または図１９のステップＳ１５３で表示される案内画面を示す図である。
【図２６】図１７または図１９のステップＳ１５７で表示されるリモコン信号受付画面を示す図である。
【図２７】携帯電話に外部サーバから写真撮影装置を制御するためのプログラムをダウンロードする状況を示す図である。
【図２８】写真撮影装置からそれを制御するためのプログラムを携帯電話に送信する状況を示す図である。
【図２９】写真撮影装置の操作を行なう携帯電話に記録されるプログラムの処理を示すフローチャートである。
【図３０】携帯電話に表示される画面を示す図である。
【図３１】コントローラ収納部１０５を有する写真撮影装置の斜視図である。
【符号の説明】
【０１５２】
２  撮影空間、３ａ，３ｂ  編集空間、１０  撮影筐体、１１ａ，１１ｂ  編集筐体、１２ａ，１２ｂ  カーテン、２１  カメラ、２２  ライブモニタ、２３  撮影操作用ディスプレイ、２７  撮影用スピーカ、３１  編集操作ディスプレイ、３７  編集側スピーカ、９１，９１ａ〜９１ｃ  赤外線受光部、９７，９７ａ，９７ｂ  遠隔撮影ボタン、１００  コンピュータ装置、５０１  ボタン、５０３  発光素子、Ｃ，Ｃ１，Ｃ２  携帯電話、Ｒ  リモコン。
【図１】
2007025108.tif 000003
【図２】
2007025108.tif 000004
【図３】
2007025108.tif 000005
【図４】
2007025108.tif 000006
【図５】
2007025108.tif 000007
【図６】
2007025108.tif 000008
【図７】
2007025108.tif 000009
【図８】
2007025108.tif 000010
【図９】
2007025108.tif 000011
【図１０】
2007025108.tif 000012
【図１１】
2007025108.tif 000013
【図１２】
2007025108.tif 000014
【図１３】
2007025108.tif 000015
【図１４】
2007025108.tif 000016
【図１５】
2007025108.tif 000017
【図１６】
2007025108.tif 000018
【図１７】
2007025108.tif 000019
【図１８】
2007025108.tif 000020
【図１９】
2007025108.tif 000021
【図２０】
2007025108.tif 000022
【図２１】
2007025108.tif 000023
【図２２】
2007025108.tif 000024
【図２３】
2007025108.tif 000025
【図２４】
2007025108.tif 000026
【図２５】
2007025108.tif 000027
【図２６】
2007025108.tif 000028
【図２７】
2007025108.tif 000029
【図２８】
2007025108.tif 000030
【図２９】
2007025108.tif 000031
【図３０】
2007025108.tif 000032
【図３１】
2007025108.tif 000033